(57)【要約】【課題】店舗の店員に対して店舗の使用電力量を低減させる行動を促すことが可能なサーバ装置を提供する。【解決手段】サーバ装置１００は、多店舗展開された複数の店舗の各々から、前記店舗の使用電力量を表した使用電力量情報を取得する。サーバ装置１００は、各店舗の過去の使用電力量の情報と、取得された各使用電力量情報とに基づき、使用電力量の減少率の大きい店舗順に順位を算出する。サーバ装置１００は、店舗の順位を、複数のタブレット端末のうち当該店舗で使用されるタブレット端末に通知する。【選択図】図２２
2019053401.tif 000002
【特許請求の範囲】
【請求項１】
複数の端末装置と通信可能なサーバ装置であって、
多店舗展開された複数の店舗の各々から、前記店舗の使用電力量を表した使用電力量情報を取得する取得手段と、
各前記店舗の過去の使用電力量の情報と、前記取得手段により取得された各前記使用電力量情報とに基づき、前記使用電力量の減少率の大きい店舗順に順位を算出する算出手段と、
前記店舗の順位を、前記複数の端末装置のうち当該店舗で使用される端末装置に通知する通知手段とを備える、サーバ装置。
【請求項２】
前記減少率は、前記店舗の単位面積当たりの減少率である、請求項１に記載のサーバ装置。
【請求項３】
前記算出手段は、前記複数の店舗のうち予め定められた地域内の各店舗の前記順位を算出する、請求項１または２に記載のサーバ装置。
【請求項４】
前記算出手段は、前記複数の店舗のうち店舗面積が予め定められた範囲内の各店舗の前記順位を算出する、請求項１または２に記載のサーバ装置。
【請求項５】
前記算出手段は、予め定められた周期で前記順位を算出し、
前記通知手段は、前記店舗の順位の変動を、前記複数の端末装置のうち当該店舗で使用される端末装置に通知する、請求項１から４のいずれか１項に記載のサーバ装置。
【請求項６】
各前記使用電力量情報に基づき、前記店舗毎に、当日または翌日以降の日の各デマンド時限における平均使用電力を予測する予測手段をさらに備え、
前記通知手段は、前記店舗における前記平均使用電力を、前記複数の端末装置のうち当該店舗で使用される端末装置に通知する、請求項１から５のいずれか１項に記載のサーバ装置。
【請求項７】
前記平均使用電力に基づき、前記使用電力量の低減に結びつくコメントを、前記店舗毎に作成する作成手段をさらに備え、
前記通知手段は、前記店舗毎に作成された前記コメントを、前記複数の端末装置のうち当該店舗で使用される端末装置に通知する、請求項６に記載のサーバ装置。
【請求項８】
複数の端末装置と通信可能なサーバ装置であって、
多店舗展開された複数の店舗の各々から、前記店舗の使用電力量を表した使用電力量情報を取得する取得手段と、
各前記使用電力量情報に基づき、前記使用電力量の少ない店舗順に順位を算出する算出手段と、
前記店舗の順位を、前記複数の端末装置のうち当該店舗で使用される端末装置に通知する通知手段とを備える、サーバ装置。
【請求項９】
複数の端末装置と通信可能なサーバ装置の制御方法であって、
多店舗展開された複数の店舗の各々から、前記店舗の使用電力量を表した使用電力量情報を取得するステップと、
各前記店舗の過去の使用電力量の情報と、取得された各前記使用電力量情報とに基づき、前記使用電力量の減少率の大きい店舗順に順位を算出するステップと、
前記店舗の順位を、前記複数の端末装置のうち当該店舗で使用される端末装置に通知するステップとを備える、制御方法。
【発明の詳細な説明】
【技術分野】
【０００１】
本発明は、サーバ装置およびサーバ装置の制御方法に関する。
【背景技術】
【０００２】
従来、スーパーマーケットおよびコンビニエンスストアなどの多店舗展開型の店舗においては、使用電力（消費電力）の比較的大きな複数の機器が使用されている。
【０００３】
特許文献１には、このような店舗における合計消費電力を検知し、その合計消費電力が所定値に達すると、店内の所定機器の消費電力を低減して、上記合計消費電力が受電可能電力を超えないように制御する電力制御システムが開示されている。このような構成により、受電設備の容量を大きくしたり、店内に設置する機器の種類や数量を制限したりしなくても、一時的な消費電力の増大に対応できる。
【先行技術文献】
【特許文献】
【０００４】
【特許文献１】特開２０００−２０５６２８号公報
【発明の概要】
【発明が解決しようとする課題】
【０００５】
上記の電力制御システムは、受電可能電力を超えないようにする技術であって、店舗の店員（オーナ、アルバイト店員等）に対して、使用電力を低減させる行動を促すことはできない。
【０００６】
本発明は、上記の問題点に鑑みなされたものであって、その目的は、店舗の店員に対して当該店舗の使用電力量を低減させる行動を促すことが可能なサーバ装置、制御方法を提供することにある。
【課題を解決するための手段】
【０００７】
ある局面に従うと、複数の端末装置と通信可能なサーバ装置は、多店舗展開された複数の店舗の各々から、店舗の使用電力量を表した使用電力量情報を取得する取得手段と、各店舗の過去の使用電力量の情報と、取得手段により取得された各使用電力量情報とに基づき、使用電力量の減少率の大きい店舗順に順位を算出する算出手段と、店舗の順位を、複数の端末装置のうち当該店舗で使用される端末装置に通知する通知手段とを備える。
【発明の効果】
【０００８】
本発明によれば、店舗の店員に対して当該店舗の使用電力量を低減させる行動を促すことが可能となる。
【図面の簡単な説明】
【０００９】
【図１】本実施の形態に係るシステムの概略構成を表した図である。
【図２】各機器の一週間の使用電力量の推移実績の一例を表した図である。
【図３】図２に示した期間における、代表店舗の機器毎の使用電力量の割合を表した図である。
【図４】タブレット端末に表示させる省エネアドバイスを作成するために用いられるデータベースの一部を表した図である。
【図５】ある局面におけるタブレット端末の表示画面例を表した図である。
【図６】他の局面におけるタブレット端末の表示画面例を表した図である。
【図７】画像の内容を説明するための図である。
【図８】画像に対するタッチ操作によってタブレット端末のディスプレイに表示される他の画面を表した図である。
【図９】画像に対するタッチ操作によってタブレット端末のディスプレイに表示される他の画面を表した図である。
【図１０】画像に対するタッチ操作によってタブレット端末のディスプレイに表示される他の画面を表した図である。
【図１１】画像に対するタッチ操作によってタブレット端末のディスプレイに表示される他の画面を表した図である。
【図１２】ある局面におけるサーバ装置の表示画面例を表した図である。
【図１３】項目が選択された場合に、サーバ装置のディスプレイの一部に表示される画像を表した図である。
【図１４】プルダウンリストを説明するための図である。
【図１５】他のプルダウンリストを説明するための図である。
【図１６】さらに他のプルダウンリストを説明するための図である。
【図１７】さらに他のプルダウンリストを説明するための図である。
【図１８】さらに他のプルダウンリストを説明するための図である。
【図１９】さらに他のプルダウンリストを説明するための図である。
【図２０】ＰＣの機能的構成を表した機能ブロック図である。
【図２１】サーバ装置の機能的構成を表した機能ブロック図である。
【図２２】システムにおける処理の流れを説明するためのシーケンス図である。
【図２３】サーバ装置における処理の流れを説明するためのフロー図である。
【図２４】サーバ装置のハードウェア構成の典型例を表した図である。
【図２５】タブレット端末のハードウェア構成の典型例を表した図である。
【発明を実施するための形態】
【００１０】
以下、図面を参照しつつ、本発明の各実施の形態に係るシステムについて説明する。以下の説明では、同一の部品には同一の符号を付してある。それらの名称および機能も同じである。したがって、それらについての詳細な説明は繰り返さない。
【００１１】
以下では、多店舗型の店舗の一例として、コンビニエンスストアを挙げて説明する。ただし、店舗は、コンビニエンスストアに限定されず、たとえば、店舗は、ドラッグストア、スーパーマーケット、ビジネスホテル、ショッピングモール等であってもよい。以下の構成は、同種の店舗を複数展開しているビジネスに適用できる。
【００１２】
以下では、図１〜図１９に基づき、本実施の形態に係るシステム全体について説明する。また、システム全体を説明する際に、適宜、店舗の順位（ランキング）について説明する。次に、図２０〜図２２において、店舗の順位（ランキング）に特化した説明を行う。最後に、図２３〜図２５において、ハードウェア構成の説明を行う。
【００１３】
＜Ａ．システム構成＞
図１は、本実施の形態に係るシステム１の概略構成を表した図である。
【００１４】
図１を参照して、システム１は、ＰＣ（Personal Computer）１００と、サーバ装置２００と、各店舗３０１，３０２，３０３，…に設置された複数の機器と、タブレット端末３３１，３３２，３３３とを備えている。なお、同図では、説明の便宜上、３つの店舗しか示していないが、システム１を構成する各種の機器が設置される店舗数は、これに限定されるものではない。また、タブレット端末は、通信機能および表示機能を有する情報処理装置の一例であり、タブレット端末の代わりにスマートフォン等を用いることもできる。
【００１５】
店舗３０１は、詳細なデータを一時的に収集するための店舗として機能している。店舗３０１で収集されたデータは、サーバ装置２００にて分析された後、自店舗３０１と、他の店舗３０２，３０３，…と、コンビニエンスストアの本部とで利用される。なお、以下では、店舗３０１を、「代表店舗３０１」とも称する。
【００１６】
タブレット端末３３１は、店舗３０１で利用される。タブレット端末３３２は、店舗３０２で利用される。タブレット端末３３３は、店舗３０３で利用される。
【００１７】
タブレット端末３３１〜３３３およびＰＣ１００は、典型的には、ウェブブラウザを有する。タブレット端末３３１〜３３３およびＰＣ１００は、サーバ装置２００にアクセスし、ウェブページ（ブラウザ画面）を自端末に表示する。なお、タブレット端末３３１〜３３３およびＰＣ１００は、ウェブページを表示するには、サーバ装置２００に対してログインする必要がある。
【００１８】
ＰＣ１００は、一例として、店舗３０１，３０２，３０３，…の本部（コンビニエンスストアの運営会社）に設置されている。サーバ装置２００は、本システムをコンビニエンスストアの運営会社に対して提供するサービス提供業者によって利用される。
【００１９】
（１）店舗３０１
店舗３０１には、無線ルータ３１１，３２１と、ゲートウェイ３４１，３６１と、高圧用のスマートメータ３５１と、複数の機器３７１，３７２，…とが設置されている。詳しくは、無線ルータ３１１と、ゲートウェイ３４１と、スマートメータ３５１とは、店舗３０１のキュービクル式高圧受電設備内（図示せず）に設置されている。
【００２０】
無線ルータ３１１，３２１は、本例では、３Ｇ回線によってサーバ装置２００に通信可能に接続されている。なお、サーバ装置２００との通信は、３Ｇ回線に限定されず、インターネット回線等の他の形態の回線であってもよい。
【００２１】
ゲートウェイ３６１は、無線ルータ３２１に通信可能に接続されている。ゲートウェイ３６１は、３線式の所定の定格の電力量を計測する有線式電力量計測器（図示せず）から、機器３７１の使用電力量のデータを取得する。また、ゲートウェイ３６１は、特定小電力無線を搭載した無線式電力量計測器（図示せず）から、機器３７２の使用電力量のデータを取得する。
【００２２】
なお、ゲートウェイ３６１は、機器３７１，３７２のみならず、図示しない他の機器からも、個別に設けられた有線式電力量計測器または無線式電力量計測器を介して、使用電力量のデータを取得する。
【００２３】
機器３７１，３７２および上記他の機器としては、たとえば、フライヤ、電子レンジ、アイスクリームケース、空調機等が挙げられる。
【００２４】
このように、ゲートウェイ３６１は、無線式電力量計測器および有線式電力量計測器によって測定された機器毎の使用電力量を収集（取得）する電力量収集装置である。ゲートウェイ３６１は、取得したデータを、無線ルータ３２１を介して、サーバ装置２００に送る。
【００２５】
ゲートウェイ３６１からサーバ装置２００に送信される使用電力量のデータは、サーバ装置２００で保存される。当該データは、上述したようにサーバ装置２００にて分析された後、店舗３０１と、他の店舗３０２，３０３，…と、コンビニエンスストアの本部とで利用される。
【００２６】
このように、システム１は多店舗展開がなされている店舗で利用されるものであるため、設備費等の軽減の観点等から、１店舗（代表店舗３０１）のデータを他店においても利用する。
【００２７】
ゲートウェイ３４１は、無線ルータ３１１に通信可能に接続されている。ゲートウェイ３４１は、たとえばＢルート端局（図示せず）を介して高圧用のスマートメータ３５１から、店舗全体の使用電力量のデータを取得する。
【００２８】
ゲートウェイ３４１は、スマートメータ３５１から単位時間毎の使用電力量のデータを取得する。ゲートウェイ３４１は、たとえば５分間（毎時０分〜５分，毎時５分〜１０分，毎時１０分〜１５分，…，毎時５５分〜６０分）の使用電力量データを取得する。
【００２９】
ゲートウェイ３４１は、データを取得すると、無線ルータ３１１を介してサーバ装置２００に送る。典型的には、ゲートウェイ３４１は、５分間隔で、取得したデータをサーバ装置２００に送る。
【００３０】
なお、店舗３０１全体の使用電力量が取得できるのであれば、設置される機器は、上記に限定されるものではない。
【００３１】
タブレット端末３３１は、無線ルータ３２１を介して、サーバ装置２００と通信可能に接続されている。
【００３２】
（２）店舗３０２，３０３
店舗３０２には、無線ルータ３１２と、ゲートウェイ３４２と、高圧用のスマートメータ３５２と、フライヤ等の複数の機器（図示せず）とが設置されている。詳しくは、ゲートウェイ３４２と、スマートメータ３５２とは、店舗３０２のキュービクル式高圧受電設備内（図示せず）に設置されている。
【００３３】
無線ルータ３１２は、本例では、３Ｇ回線によってサーバ装置２００に通信可能に接続されている。
【００３４】
ゲートウェイ３４２は、無線ルータ３１２に通信可能に接続されている。ゲートウェイ３４２は、たとえばＢルート端局（図示せず）を介して高圧用のスマートメータ３５２から、店舗全体の使用電力量のデータを取得する。
【００３５】
ゲートウェイ３４２は、スマートメータ３５２から単位時間毎の使用電力量のデータを取得する。ゲートウェイ３４２は、たとえば５分間（毎時０分〜５分，毎時５分〜１０分，毎時１０分〜１５分，…，毎時５５分〜６０分）の使用電力量データを取得する。
【００３６】
ゲートウェイ３４２は、データを取得すると、無線ルータ３１２を介してサーバ装置２００に送る。典型的には、ゲートウェイ３４２は、５分間隔で、取得したデータをサーバ装置２００に送る。
【００３７】
なお、店舗３０２全体の使用電力量が取得できるのであれば、設置される機器は、上記に限定されるものではない。
【００３８】
タブレット端末３３２は、無線ルータ３１２を介して、サーバ装置２００と通信可能に接続されている。
【００３９】
店舗３０３には、無線ルータ３１３と、ゲートウェイ３４３と、高圧用のスマートメータ３５３と、フライヤ等の複数の機器（図示せず）とが設置されている。タブレット端末３３３は、無線ルータ３１３を介して、サーバ装置２００と通信可能に接続されている。なお、店舗３０３については、上述した店舗３０２と同様の機器構成を有するため、店舗３０３についての詳細な説明は省略する。
【００４０】
（３）サービス提供業者
サーバ装置２００は、上述したように、本システムをコンビニエンスストアの運営会社に対して提供するサービス提供業者によって利用される。典型的には、サーバ装置２００は、各店舗３０１，３０２，３０３，…等に上述したゲートウェイ３４１〜３４３，３６１、高圧用のスマートメータ３５１〜３５３等の各種の機器を設置した業者によって利用される。このような業者としては、たとえば、電力会社が挙げられる。
【００４１】
電力会社等のサービス提供業者は、サーバ装置２００に集約された各店舗３０１，３０２，３０３，…の使用電力量のデータに基づき、各店舗３０１，３０２，３０３，…の省エネへの取り組み状況を分析する。サーバ装置２００は、詳細については後述するが、各店舗３０１，３０２，３０３，…にて使用電力量を低減させる行動を促す情報（以下、「省エネアドバイス」とも称する）を、各店舗で利用されるタブレット端末３３１，３３２、３３３，…に対して送信する。
【００４２】
また、サーバ装置２００は、タブレット端末３３１，３３２，３３３，…等から送信された要求信号に基づいて、画面データ（典型的には、ウェブページ）を、当該要求信号の送信元のタブレット端末に送信する。
【００４３】
また、サービス提供業者は、サーバ装置２００に集約された各店舗３０１，３０２，３０３，…の使用電力量のデータに基づき、各店舗３０１，３０２，３０３，…の省エネへの取り組み状況を分析する。サービス提供業者は、コンビニエンスストアの運営会社に対して、独自の分析に基づくコンサルティングを行う。
【００４４】
なお、以下では、説明の便宜上、店舗３０１，３０２，３０３，…の各々を区別しない場合には、「店舗３００」と記載する。また、タブレット端末３３１，３３２，３３３，…の各々を区別しない場合には、「タブレット端末３３０」と記載する。ゲートウェイ３４１，３４２，３４３，…の各々を区別しない場合には、「ゲートウェイ３４０」と記載する。無線ルータ３１１，３１２，３１３，…の各々を区別しない場合には、「無線ルータ３１０」と記載する。
【００４５】
＜Ｂ．処理の概要＞
（１）代表店舗３０１における各機器３７１，３７２，…の使用電力量の計測
上述したように、サーバ装置２００には、ゲートウェイ３６１によって収集された各機器３７１，３７２，…の使用電力量のデータが蓄積される。
【００４６】
図２は、各機器３７１，３７２，…の一週間の使用電力量の推移実績の一例を表した図である。図２（Ａ）は、一例として、空調の使用電力量の推移を表した図である。図２（Ｂ）は、一例として、フライヤの使用電力量の推移を表した図である。図２（Ｃ）は、一例として、電子レンジの使用電力量の推移を表した図である。図２（Ｄ）は、一例として、アイスクリームケースの使用電力量の推移を表した図である。
【００４７】
これらのデータから、店舗３０１の店員の行動が影響する機器（負荷）と、店員の行動が影響しない機器（負荷）とがあることが分かる。たとえば、アイスクリームケース等のショーケース関係の機器については、店員の行動に起因しない負荷変動が生じていることが分かる。
【００４８】
詳細については後述するが、システム１では、店員の行動に起因する負荷の利用が増える季節または時間帯に、省エネアドバイスをタブレット端末３３０に表示させる。また、サービス提供業者は、コンビニエンスストアの運営会社に対して、これらの分析結果をコンサルティング活動の一環として提供する。
【００４９】
図３は、図２に示した期間における、代表店舗３０１の機器毎の使用電力量（ｋＷｈ）の割合（％）を表した図である。
【００５０】
図３を参照して、アイスクリームケースの使用電力量が、電灯の使用電力量に次いで高いのが分かる。
【００５１】
フライヤの使用電力量は、比較的小さいことが分かる。しかしながら、図２（Ｂ）によれば、電力（ｋＷ）のピークを考慮すると、デマンド契約の基本料金の観点から影響が大きいことが分かる。
【００５２】
図２および図３に示したデータは、代表店舗３０１のデータである。他の店舗３０２，３０３，…等は、多店舗展開の場合には、通常、代表店舗３０１と似た店舗構成となる。それゆえ、店舗３０２，３０３，…における各機器の使用電力量は、代表店舗３０１の各機器の使用電力量と似た傾向となる。
【００５３】
このため、店舗３０２，３０３，…における店舗全体の使用電力量を取得すれば、当該店舗における各機器の使用電力量の時間的な推移および機器毎の使用電力量（ｋＷｈ）の割合（％）も判断（推定）できる。
【００５４】
（２）予測機能
サーバ装置２００には、予測対象日（当日の現在時刻以降または翌日以降）のデマンドの予測値を算出するプログラムがインストールされている。たとえば、当該プログラムによって、予測対象日の２日〜３５日前における、使用電力量に関するデータ、最低気温、最高気温、曜日データ等からデマンドの予測値が算出される。コンビニエンスストアにおいては、負荷特性に特異性が少ないため、誤差は数パーセント程度に収まる。
【００５５】
当該プログラムは、１日単位の使用電力量の予測値を算出するだけではなく、デマンド時限である３０分単位での使用電力量の予測値を算出するように構成されている。
【００５６】
これらの予測値は、タブレット端末３３０において適宜表示される。
（３）省エネアドバイスの作成
図４は、タブレット端末３３０に表示させる省エネアドバイス（コメント）を作成するために用いられるデータベースＤ４の一部を表した図である。
【００５７】
図４を参照して、データベースＤ４は、優先順位の欄と、表示内容（テンプレート）の欄と、イラスト表示の欄と、変数表示の欄と、１つ目の条件の欄と、２つの目の条件の欄と、３つ目の条件の欄と、発音およびポップ再表示の欄とを有している。
【００５８】
データベースＤ４は、サービス提供事業者によって作成される。サーバ装置２００は、データベースＤ４を利用して、省エネアドバイスを作成する。表示同士が競合する場合、タブレット端末３３０は、優先順位の欄に記載の順位情報に基づいて、優先順位の高い内容を表示する。
【００５９】
（４）店舗順位
サーバ装置２００は、使用電力量の減少率の大きい店舗順に順位を算出する。典型的には、サーバ装置２００は、店舗３００の単位面積当たりの減少率の大きい店舗順に順位を算出する。また、サーバ装置は、単位期間（たとえば、１ヶ月）あたりの使用電力量が少ない店舗順に順位を算出する。
【００６０】
サーバ装置２００は、算出された順位を、対応する店舗で利用されるタブレット端末３３０に通知する。たとえば、店舗３０２の順位が１００店舗中４５位であった場合には、４５位であることを店舗３０２で利用されるタブレット端末３３２に通知する。店舗順位の詳細については、後述する。
【００６１】
＜Ｃ．タブレット端末における画面表示＞
タブレット端末３３０は、上述したように、ウェブページを表示する。このウェブページは、サーバ装置２００によって生成される。なお、当該ウェブページに含まれる各種の数値（電力量料金、予測値）およびグラフ等についても、サーバ装置２００によって生成される。以下、タブレット端末３３０において表示される画面例について説明する。
【００６２】
図５は、ある局面におけるタブレット端末３３０の表示画面例を表した図である。
図５を参照して、タブレット端末３３０は、サーバ装置２００にアクセスすることによって、画面５００をタッチスクリーンのディスプレイに表示する。
【００６３】
画面５００は、現在の電力使用状況を表した画像５１０と、今日の電気予報を表した画像５２０と、今月の電力量料金を表した画像５３０と、省エネランク（順位）を表した画像５４０と、売り場のエアーコンディショナの清掃状態を表した画像５５０と、ショーケースの清掃状態を表した画像５６０と、バックヤードのエアーコンディショナの清掃状態を表した画像５７０と、今日および明日の天気等を表した画像５８０とを含んでいる。また、画像５２０は、キャラクタ画像５２１を含む。
【００６４】
図６は、他の局面におけるタブレット端末３３０の表示画面例を表した図である。
図６を参照して、タブレット端末３３０は、予め定められたタイミングで、省エネアドバイスを表した画像５９０をディスプレイに表示する。典型的には、タブレット端末３３０は、画像５９０を図５に示した画面５００上にポップアップ表示する。なお、省エネアドバイスは、上述したようにサーバ装置２００がデータベースＤ４（図４参照）を利用して作成される。
【００６５】
タブレット端末３３０は、このような省エネアドバイスを表示することにより、タブレット端末３３０のユーザ（店舗の店員）に対して使用電力量を低減させる行動を促すことができる。
【００６６】
また、タブレット端末３３０は、省エネアドバイスをポップアップ表示したタイミングで、音声にて当該省エネアドバイスをスピーカから出力してもよい。
【００６７】
（１）画像５１０
図７は、画像５１０の内容を説明するための図である。
【００６８】
図７を参照して、画像５１０は、現在のデマンド値５１１と、契約電力に対する使用率５１２と、直前の３０分のデマンド値との比較結果５１３と、電気料金に関するコメント５１４とを含む。
【００６９】
使用率５１２は、Ｂルートによるデータ取得の技術を活用することにより、５分毎に更新される。使用率５１２が９０％を超える場合、タブレット端末３３０は、アラームを鳴らしたり、所定の宛先に電話を自動的にかけたり、あるいは所定の宛先に電子メールを自動的に送信したりするように、システム１を構成してもよい。
【００７０】
比較結果５１３の表記は、直前の３０分のデマンド値を超えそうであれば、「上昇中」となる。また、比較結果５１３の表記は、直前の３０分のデマンド値の８０％以上かつ１００％以下の間であれば、横ばいを示す表記（たとえば、「→」）となる。さらに、比較結果５１３の表記は、直前の３０分デマンド値の８０％未満であれば、「減少中」となる。
【００７１】
比較結果５１３の表記も、典型的には５分毎に更新される。たとえば、現在時刻が１５時４０分の場合、サーバ装置２００は、１５時００分から１５時３０分までの使用電力量の増加を表す直線の傾きと、１５時３０分から１５時３５分までの使用電力量の増加を表す直線の傾きとを比較することによって、比較結果５１３の表記を決定する。
【００７２】
上記の閾値（８０％）は、タブレット端末３３０のユーザまたはＰＣ１００のユーザが適宜変更可能なように構成されることが好ましい。
【００７３】
サーバ装置２００は、当日のデマンド予想（今日の電気予報）で契約電力を超過すると予想した場合、超過分の契約電力が上昇するとして、電気料金（詳しくは、基本料金）を算出する。タブレット端末３３０は、当該算出された電気料金を含むコメント５１４を表示する。なお、店舗３００が低圧店舗の場合には、当該店舗で利用されるタブレット端末３３０は、コメント５１４を表示しない。
【００７４】
（２）画像５２０および画像５２０へのタッチ操作に基づく画面遷移
サーバ装置２００は、過去（直近３０日程度）のデマンドの実績と、気象予測データ（典型的には、市町村別の１時間毎の気温のデータ）とに基づき、店舗３００のデマンド値を予測する。タブレット端末３３０は、当日のデマンド値の予測値が契約電力の９０％以上の値となる場合には、画像５２０にキャラクタ画像５２１を表示する（図５参照）。タブレット端末３３０は、キャラクタ画像５２１の枠等の色を、注意喚起のために一例として赤色で表示する。
【００７５】
図８は、画像５２０に対するタッチ操作によってタブレット端末３３０のディスプレイに表示される画面５２５を表した図である。
【００７６】
図８を参照して、画面５２５は、省エネアドバイス（省エネのポイント）を表した画像５２５１と、今日の詳細な電気予報を表した画像５２５２と、週間電気予報を表した画像５２５３とを含んでいる。
【００７７】
画像５２５１は、デマンド抑制のため、あるいは省エネ対策のためのコメントを含む。当該コメントは、上述したように、サーバ装置２００がデータベースＤ４を用いて作成する。
【００７８】
画像５２５２は、３０分単位のデマンド予測値のデータと実績値のデータとを含むグラフである。予測値のデータは、典型的には、毎日２４時（深夜０時）に更新される。
【００７９】
画像５２５３は、１週間分のデマンド予測値のデータを含んでいる。詳しくは、画像５２５３は、天気予報と、最高気温と、最低気温と、ピーク電力の予想との各情報を、日にちに対応付けて含んでいる。また、画像５２５３は、契約電力の情報を含んでいる。
【００８０】
このように、タブレット端末３３０のユーザは、画像５２０に対するタッチ操作によって、詳細な電気予報を知ることができる。
【００８１】
（３）画像５３０および画像５３０へのタッチ操作に基づく画面遷移
再び図５を参照して、画像５３０は、月の初日（１日）から前日までの累積電力量料金を表している。さらに、画像５３０は、昨年度の同期間の電力量料金との比較結果（差分）も表している。
【００８２】
図９は、画像５３０に対するタッチ操作によってタブレット端末３３０のディスプレイに表示される画面５３１を表した図である。
【００８３】
図９を参照して、画面５３１は、当月の電力量料金に関する画像５３１１と、当月の日毎の電力量に関するグラフ５３１２とを含む。
【００８４】
画像５３１１は、当月の１日から前日までの電力量料金および昨年度比の各情報と、１日から月末までの電力量料金の予測および昨年度比（予測）との各情報を含む。これによれば、タブレット端末３３０のユーザは、月末までの電力量料金および昨年度の同月に対する電力量料金の増減を知ることができる。
【００８５】
なお、電力量料金の予測は、サーバ装置２００において実行される。サーバ装置２００は、１０日先までの電力量料金については、気象データを用いた使用量想定に基づき算出する。また、サーバ装置２００は、１１日先以降の電力量料金については、昨年度の使用量に基づき算出する。
【００８６】
グラフ５３１２は、１日〜１０日までの日毎の電力量（実績値）の棒グラフと、１１日から１７日までの電力量（予測値）の棒グラフと、累積の電力量を表した折線グラフとを含む。累積の電力量の数値は、右側の縦軸で規定される。
【００８７】
このように、タブレット端末３３０のユーザは、画像５３０に対するタッチ操作によって、詳細な電力量料金を知ることができる。
【００８８】
（４）画像５４０および画像５４０へのタッチ操作に基づく画面遷移
再び図５を参照して、画像５４０は、エリア（地域）単位での省エネランキング（順位）を表している。エリアには、典型的には１００店舗程度の店舗が含まれる。エリアは、典型的には、市町村で規定される。
【００８９】
サーバ装置２００は、省エネランキングを、店舗の単位面積（典型的には、１ｍ２）当たりの使用電力量に基づき算出する。具体例を挙げて説明すると、サーバ装置２００は、今月の１ｍ２当たりの使用電力量（ｋＷｈ／ｍ２）の情報と前年同月の１ｍ２当たりの使用電力量（ｋＷｈ／ｍ２）の情報とに基づき、使用電力量の減少率（削減率）の大きい店舗順に順位を算出する。
【００９０】
サーバ装置２００は、前年同月の１ｍ２当たりの使用電力量（ｋＷｈ／ｍ２）の情報を記憶していない場合（システム１の運用開始年）には、各店舗の今月の１ｍ２当たりの使用電力量（ｋＷｈ／ｍ２）の情報に基づき、使用電力量の少ない店舗順に順位を算出する。
【００９１】
サーバ装置２００は、典型的には、少なくとも月毎に月単位の順位（削減率が大きい順位、および使用電力量の少ない順位）を算出する。サーバ装置２００は、年間の順位を算出可能である。さらには、指定された期間の順位を算出するように、サーバ装置２００を構成してもよい。順位を算出する期間は、様々に設定可能となっている。
【００９２】
また、サーバ装置２００は、当月においては、月初から当日（今日）までの期間の減少率等の順位を日々算出し、タブレット端末３３０における表示を更新させてもよい。
【００９３】
図１０は、画像５４０に対するタッチ操作によってタブレット端末３３０のディスプレイに表示される画面５４１を表した図である。
【００９４】
図１０を参照して、画面５４１は、最新の省エネランキングを示した画像５４１１と、複数の選択可能なオブジェクト画像５４１２〜５４１４と、月別の電力量を表したグラフ５４１５と、過去の省エネランキングを示した画像５４１６と、ランキングの推移を表したグラフ５４１７とを含む。
【００９５】
画像５４１１は、上記エリアでの順位と、都道府県別の順位と、複数の県等を含む地方区分（たとえば、関西）での順位との各情報を含む。同図の場合、画像５４１１は、８月の順位を表している。
【００９６】
画像５４１６は、過去の各月の、上記エリアでの順位と、県別の順位と、複数の県を含む地方区分での順位との各情報を含む。
【００９７】
同図では、オブジェクト画像５４１２が選択された状態になっているため、神戸エリアにおける順位の推移がグラフで表示されている。タブレット端末３３０は、オブジェクト画像５４１３がタッチ操作によって選択されると、兵庫県における順位の推移をグラフ５４１７の代わりに表示する。また、タブレット端末３３０は、オブジェクト画像５４１４がタッチ操作によって選択されると、関西地方における順位の推移をグラフ５４１７の代わりに表示する。
【００９８】
このように、タブレット端末３３０のユーザは、画像５４０に対するタッチ操作によって、詳細な順位および順位の推移を知ることができる。
【００９９】
（５）画像５５０，５６０，５７０および各画像５５０，５６０，５７０へのタッチ操作に基づく画面遷移
再び図５を参照して、画像５５０は、売り場のエアーコンディショナの清掃状態に加えて、前回の清掃日からの経過日数の情報を含んでいる。画像５６０は、ショーケースの清掃状態に加えて、前回の清掃日からの経過日数の情報を含んでいる。画像５７０は、バックヤードのエアーコンディショナの清掃状態に加えて、前回の清掃日からの経過日数の情報を含んでいる。
【０１００】
タブレット端末３３０は、次回の清掃予定日の７日（１週間）前までは、たとえば、「きれいに保たれています」といった旨の表示を行う。また、タブレット端末３３０は、次回の清掃予定日の６日前から当該清掃予定日までの間は、「清掃のタイミングです！」といったように、清掃を促す表示を行う。さらに、タブレット端末３３０は、清掃予定日を経過すると、「清掃日を超過しています！！」といった内容を表示することによって、店舗の店員に清掃を促す。
【０１０１】
図１１は、画像５６０に対するタッチ操作によってタブレット端末３３０のディスプレイに表示される画面６１０を表した図である。
【０１０２】
タブレット端末３３０は、たとえば、画像５６０に対するタッチ操作を受け付けた場合、ショウケースの清掃実施日を入力するための入力欄６１１と、清掃担当者の氏名を入力するための入力欄６１２と、入力が完了したことをタブレット端末３３０にユーザが通知するオブジェクト画像６１３とを含む画像６１０をディスプレイに表示する。
【０１０３】
タブレット端末３３０は、入力欄６１１，６１２に対して入力を受け付けた後に、オブジェクト画像６１３を選択する入力を受け付けると、実施日と担当者との情報をサーバ装置２００に通知する。
【０１０４】
これにより、サーバ装置２００では、ショーケースハニカムの清掃が行われたことを検知できる。この場合、前回からの経過日数を示す数字が０日にリセットされる。また、タブレット端末３３０の画像５６０は、「きれいに保たれている」ことを表す画像に遷移する。つまり、警告表示が解除される。
【０１０５】
なお、画像５５０，５７０へのタッチ操作に基づく画面遷移も、画像５６０へのタッチ操作に基づく画面遷移と同様である。
【０１０６】
＜Ｄ．ＰＣ１００における表示画面＞
次に、ＰＣ１００において表示されるブラウザ画面の例について説明する。なお、システム１においては、ＰＣ１００で表示される画面と同じ画面は、サーバ装置２００においても表示可能となっている。
【０１０７】
図１２は、ある局面におけるＰＣ１００の表示画面例を表した図である。
図１２を参照して、ＰＣ１００は、画面７００をＰＣ１００のディスプレイに表示する。画面７００は、５つの領域７１０，７２０，７３０，７４０，７５０を含む。
【０１０８】
（１）領域７１０
領域７１０には、複数の選択可能な項目７１１〜７１６が表示される。
【０１０９】
項目７１１は、デマンド監視に関する画面を表示させるための項目である。項目７１２は、各店舗３００の省エネ実績を表示させるための項目である。項目７１３は、店舗３００の各設備（たとえば、空調等）の清掃状態を表示させるための項目である。
【０１１０】
項目７１４は、各種の設定を受け付ける画面を表示させるための項目である。項目７１５は、蓄電池と太陽光管理に関する画面を表示させるための項目である。
【０１１１】
項目７１６は、店舗管理に関する画面を表示させるための項目である。ＰＣ１００は、項目７１６を選択するユーザ操作を受け付けると、ディスプレイに表示させる画面を、現在表示されている画面から、タブレット端末３３０に表示させる省エネアドバイスおよび表示画面を編集するための画面に遷移させる。当該画面では、掃除のアラームの通知頻度なども設定できる。
【０１１２】
なお、画面７００は、項目７１２が選択された状態を表している。
図１３は、項目７１３が選択された場合に、ＰＣ１００のディスプレイの一部に表示される画像７８０を表した図である。なお、画像７８０は、ショウケースハニカムに関する清掃情報を表している。
【０１１３】
図１３を参照して、画像７８０は、各店舗の直近のフィルタ掃除日と、期限超過日数と、実施担当者とを対応付けて表している。ＰＣ１００のユーザは、画像７８０を参照することにより、各店舗の清掃状況を把握することができる。
【０１１４】
（２）領域７２０
再び図１２を参照して、領域７２０は、比較対象および条件を設定するための設定領域であるとともに、総括表７２７を表した表示領域である。
【０１１５】
領域７２０には、複数のプルダウンリスト（ドロップダウンメニュー）７２１〜７２６がさらに表示される。６つのプルダウンリスト７２１〜７２６のうち、４つのプルダウンリスト７２３〜７２６は総括表の表示に関連するものである。また、２つのプルダウンリスト７２１，７２２は領域７３０の表示に関連するものである。さらに、２つのプルダウンリスト７２３，７２６は領域７４０の表示にも関連するものである。
【０１１６】
図１４は、プルダウンリスト７２３を説明するための図である。
図１４を参照して、プルダウンリスト７２３は、期間に関する複数の選択肢を含んでいる。たとえば、プルダウンリスト７２３は、前日、前月、今月、前年、今年、期間指定の６個の選択肢を含んでいる。
【０１１７】
図１５は、プルダウンリスト７２４を説明するための図である。
図１５を参照して、プルダウンリスト７２４は、都道府県に関する複数の選択肢を含んでいる。たとえば、プルダウンリスト７２４は、関西地方の府県として、大阪、京都、兵庫、奈良、和歌山、滋賀、関西全体の７個の選択肢を含んでいる。
【０１１８】
なお、関西地方は一例であって、これに限定されるものではない。たとえば、関東地方で使用されるタブレット端末３３０においては、プルダウンリスト７２４は、東京都、神奈川県、千葉県、埼玉県、茨城県、栃木県、群馬県、山梨県の８個の選択肢を含み得る。また、プルダウンリスト７２４に含ませる選択肢（つまり、エリア分け）は、サーバ装置２００において適宜設定可能である。
【０１１９】
図１６は、プルダウンリスト７２５を説明するための図である。
図１６を参照して、プルダウンリスト７２５は、エリアに関する複数の選択肢を含んでいる。たとえば、プルダウンリスト７２５は、大阪府の５つのエリアと、京都府の２つのエリアと、兵庫の２つのエリアと、奈良の２つのエリアと、和歌山の２つのエリアと、滋賀の２つのエリアと、関西全体の１６個の選択肢を含んでいる。これらのエリア分けも一例であって、関東地方等の他の地方では、プルダウンリスト７２５の選択肢が上記とは異なる。プルダウンリスト７２５に含ませる選択肢（つまり、エリア分け）も、サーバ装置２００において適宜設定可能である。
【０１２０】
図１７は、プルダウンリスト７２６を説明するための図である。
図１７を参照して、プルダウンリスト７２６は、店舗形態に関する複数の選択肢を含んでいる。たとえば、プルダウンリスト７２６は、郊外と、郊外（低圧）と、郊外（高圧）と、テナントと、太陽光と、蓄電池と、全体との７個の選択肢を含んでいる。
【０１２１】
なお、「太陽光」とは太陽光発電設備を備えた店舗形態を表している。「蓄電池」とは蓄電設備を備えた店舗形態を表している。
【０１２２】
図１８は、プルダウンリスト７２２を説明するための図である。
図１８を参照して、プルダウンリスト７２２は、複数の選択肢を含んでいる。たとえば、プルダウンリスト７２２は、電気料金と、電力量料金と、使用電力量と、ＤＭ（デマンド）との４個の選択肢を含んでいる。
【０１２３】
図１９は、プルダウンリスト７２１を説明するための図である。
図１９を参照して、プルダウンリスト７２１は、複数の選択肢を含んでいる。たとえば、プルダウンリスト７２１は、店舗面積と、売上げと、来店数との３個の選択肢を含んでいる。
【０１２４】
再び図１２を参照して、領域７２０の総括表７２７について説明する。
総括表７２７は、全地点実績と、選択エリア実績とを含む。全地点実績および選択エリア実績の各々には、使用量のデータと、デマンド（ＤＭ）のデータとが対応付けられている。使用量のデータおよびデマンドのデータの各々は、今年度実績のデータと、比較期間実績のデータと、比較期間比のデータとを含んでいる。
【０１２５】
総括表７２７の表示内容は、プルダウンリスト７２３〜７２６の設定に基づき変更される。選択エリア実績に関するデータは、プルダウンリスト７２４〜７２６によって選択されたエリアである。
【０１２６】
このような表示によれば、ＰＣ１００のユーザ（コンビニエンスストアの本部の従業員）は、全地点の実績と、ユーザが選択したエリアの実績とを容易に比較することができる。
【０１２７】
（３）領域７３０
領域７３０は、各店舗状況をグラフ表示した領域である。ＰＣ１００は、プルダウンリスト７２１〜７２６の設定に基づいたグラフ（散布図）を領域７３０に表示する。
【０１２８】
ＰＣ１００は、図１２の場合、前月に関する大阪南部の郊外型の各店舗のデータをプロット表示する。なお、グラフの横軸は、プルダウンリスト７２１によって選択された項目である。グラフの縦軸は、プルダウンリスト７２２によって選択された項目である。図１２の状態では、横軸は店舗面積（ｍ２）となっており、かつ縦軸は使用電力量となっている。
【０１２９】
このような表示によれば、ＰＣ１００のユーザは、全店舗の使用電力量（あるいは、プルダウンリスト７２１に示した電気料金、電力量料金、デマンド）のデータを、店舗面積（あるいは、プルダウンリスト７２２に示した売上、来店数）と関連付けた状態で確認することができる。つまり、ユーザは、複数の店舗のデータを俯瞰することができる。
【０１３０】
また、各プロットは、選択可能となっている。たとえば、ＰＣ１００のユーザがプロット７３２をポインティングデバイス等で選択すると、当該プロットの店舗情報がポップアップ表示される。このような構成によれば、ＰＣ１００のユーザは、特異なデータの店舗の情報（店名等）を即座に確認することが可能となる。
【０１３１】
（４）領域７４０
領域７４０は、エリア別省エネ状況（過去実績比）のリスト７４１を主として表示するための表示領域である。
【０１３２】
ＰＣ１００は、プルダウンリスト７２３で選択された期間に関する項目およびプルダウンリスト７２６で選択された店舗形態に関する項目に応じて、各エリア単位の省エネ状況をリスト７４１として領域７４０に表示する。
【０１３３】
具体的には、ＰＣ１００は、各エリアに対して、使用電力量のデータと、デマンド（ＤＭ）のデータとを関連付けて表示する。なお、ＰＣ１００は、サーバ装置２００に蓄積された過去の実績データを利用してサーバ装置２００が生成した、このようなエリア同士を比較可能な一覧表を、ＰＣ１００のディスプレイに表示する。
【０１３４】
領域７４０は、選択可能なオブジェクト画像７４２，７４３をさらに含む。また、ＰＣ１００のユーザがオブジェクト画像７４２をポインティングデバイス等で選択することにより、一覧表示がＣＳＶ出力される。
【０１３５】
さらに、サーバ装置のユーザがオブジェクト画像７４３を選択することにより、次ページのリストを表示する。たとえば、ＰＣ１００は、京都府南部等のデータを表示する。
【０１３６】
（５）領域７５０
領域７５０は、使用電力量の増加が著しい店舗を表示するための領域である。領域７５０に表示する店舗の抽出条件は、領域７１０の各種設定の項目７１４を選択することにより表示される画面にて設定される。
【０１３７】
ＰＣ１００のユーザは、抽出条件として、たとえば、対前年比または対予測比等の比較基準を設定してもよい。あるいは、ユーザは、抽出条件として、増加率に関する下限の閾値（％）を設定してもよい。
【０１３８】
＜Ｅ．機能的構成＞
（１）ＰＣ１００
図２０は、ＰＣ１００の機能的構成を表した機能ブロック図である。
【０１３９】
図２０を参照して、ＰＣ１００は、制御部１１０と、記憶部１２０と、通信インターフェイス部１３０と、表示部１４０と、操作部１５０とを備える。
【０１４０】
通信インターフェイス部１３０は、ネットワークに接続するためのインターフェイスである。ＰＣ１００は、通信インターフェイス部１３０によって、サーバ装置２００と通信する。
【０１４１】
表示部１４０は、上述した各種の画面を表示する。操作部１５０は、ユーザ操作を受け付ける。
【０１４２】
記憶部１２０には、オペレーティングシステム、アプリケーションプログラム等の各種のプログラム、各種のデータが記憶されている。
【０１４３】
制御部１１０は、ＰＣ１００の全体的な動作を制御する。制御部１１０は、プロセッサが、オペレーティングシステム、アプリケーションプログラム等の各種のプログラムを実行することにより実現される。
【０１４４】
ある局面において、操作部１５０が所定のユーザ操作を受け付けると、制御部１１０は、表示部１４０にウェブページ（ブラウザ画面）を表示または他のウェブページに遷移させるため、通信インターフェイス部１３０を介して、サーバ装置２００に対してユーザ操作に基づいた指令（要求信号）を送信する。
【０１４５】
（２）サーバ装置２００
図２１は、サーバ装置２００の機能的構成を表した機能ブロック図である。
【０１４６】
図２１を参照して、サーバ装置２００は、制御部２１０と、記憶部２２０と、通信インターフェイス部２３０と、表示部２４０と、操作部２５０とを備える。制御部２１０は、取得部２１１と、順位算出部２１２と、予測部２１３と、コメント作成部２１４と、通知部２１５と、条件設定部２１６と、表示制御部２１７とを含む。
【０１４７】
通信インターフェイス部２３０は、ネットワークに接続するためのインターフェイスである。サーバ装置２００は、通信インターフェイス部２３０によって、当該ネットワークに接続されたＰＣ１００およびタブレット端末３３０と通信する。
【０１４８】
記憶部２２０には、オペレーティングシステム、アプリケーションプログラム等の各種のプログラム、各種のデータが記憶されている。
【０１４９】
表示部２４０は、上述した各種の画面を表示する。
操作部２５０は、ユーザ操作を受け付ける。
【０１５０】
次に、制御部２１０について説明する。制御部２１０は、サーバ装置２００の全体的な動作を制御する。制御部２１０は、プロセッサが、オペレーティングシステム、アプリケーションプログラム等の各種のプログラムを実行することにより実現される。
【０１５１】
（i）取得部２１１は、多店舗展開された複数の店舗３００の各々から、店舗３００の使用電力量を表した使用電力量情報を取得する。
【０１５２】
順位算出部２１２は、各店舗３００の過去の使用電力量の情報と、取得部２１１により取得された各使用電力量情報とに基づき、使用電力量の減少率の大きい店舗順に順位を算出する。詳しくは、順位算出部２１２は、店舗の単位面積当たりの減少率の大きい店舗順に順位を算出する。
【０１５３】
通知部２１５は、店舗３００の順位を、複数のタブレット端末３３０のうち当該店舗で使用されるタブレット端末３３０に通知する。たとえば、通知部２１５は、店舗３０１の順位をタブレット端末３３１に通知する（図１参照）。
【０１５４】
このような構成によれば、店舗３００の店員に対して当該店舗の使用電力量を低減させる行動を促すことが可能となる。
【０１５５】
（ii）条件設定部２１６は、操作部１５０を用いたＰＣ１００へのユーザ入力によって、ＰＣ１００に表示されたプルダウンリスト７２１〜７２６における項目が選択されると、通信インターフェイス部１３０を介して当該選択内容を受け付ける。条件設定部２１６は、ＰＣ１００において選択された項目の情報を順位算出部２１２に通知する。
【０１５６】
たとえば、順位算出部２１２は、条件設定部２１６からの通知に基づき、複数の店舗３００のうち予め定められた地域内の各店舗３００の上記順位（使用電力量の減少率の大きい店舗順の順位）を算出する。これによれば、店舗３００の店員は、同じ地域内における自店舗の順位を知ることができる。それゆえ、地域を限定しない場合に比べて、店舗３００の店員の省エネに対する競争心をあおりやすくなる。それゆえ、店舗３００の店員に対して、より一層、使用電力量を低減させる行動を促すことが可能となる。
【０１５７】
あるいは、順位算出部２１２は、条件設定部２１６からの通知に基づき、複数の店舗３００のうち店舗面積が予め定められた範囲内の各店舗３００の上記順位（使用電力量の減少率の大きい店舗順の順位）を算出する。これによれば、店舗３００の店員は、自店舗と同じような店舗面積を有する複数の店舗３００における自店舗の順位を知ることができる。それゆえ、店舗面積を限定しない場合に比べて、店舗３００の店員の省エネに対する競争心をあおりやすくなる。それゆえ、店舗３００の店員に対して、より一層、使用電力量を低減させる行動を促すことが可能となる。
【０１５８】
（iii）詳しくは、順位算出部２１２は、予め定められた周期で上記順位を算出する。通知部２１５は、店舗３００の順位の変動（たとえば、図１０のグラフ５４１７）を、複数のタブレット端末３３０のうち当該店舗で使用されるタブレット端末３３０に通知する。たとえば、通知部２１５は、店舗３０１の順位の変動を、店舗３０１で使用されるタブレット端末３３１に通知する。
【０１５９】
このような構成によれば、店舗３００の店員は、自店舗の順位変動を知ることができる。それゆえ、順位の変動を通知しない構成に比べて、店舗３００の店員の省エネに対する競争心をあおりやすくなる。それゆえ、店舗３００の店員に対して、より一層、使用電力量を低減させる行動を促すことが可能となる。
【０１６０】
（iv）予測部２１３は、取得部２１１によって取得された各使用電力量情報に基づき、店舗３００毎に、当日または翌日以降の日の各デマンド時限における平均使用電力を予測する。
【０１６１】
通知部２１５は、たとえば図９のグラフ５３１２に示すように、店舗３００における当該平均使用電力を、複数のタブレット端末３３０のうち当該店舗で使用されるタブレット端末３３０に通知する。
【０１６２】
このような構成によれば、店舗３００の店員は、当日または翌日以降の日の各デマンド時限における平均使用電力を事前に知ることができる。
【０１６３】
（v）コメント作成部２１４は、上記平均使用電力に基づき、使用電力量の低減に結びつくコメントを、店舗３００毎に作成する。具体的には、コメント作成部２１４は、データベースＤ４（図４参照）を用いて、コメントを作成する。
【０１６４】
通知部２１５は、店舗３００毎に作成されたコメントを、複数のタブレット端末３３０のうち当該店舗で使用されるタブレット端末３３０に通知する。
【０１６５】
このような構成によれば、店舗３００の店員に対して、使用電力量を低減させる行動を促すことが可能となる。
【０１６６】
（vi）サーバ装置２００は、各店舗３００の過去の使用電力量の情報が蓄積されていない場合には、順位算出部２１２は、取得部２１１によって取得された各使用電力量情報に基づき、使用電力量の少ない店舗順に順位を算出する。通知部２１５は、店舗３００の当該順位を、複数のタブレット端末３３０のうち当該店舗で使用されるタブレット端末３３０に通知する。
【０１６７】
＜Ｆ．制御構造＞
図２２は、システム１における処理の流れを説明するためのシーケンス図である。
【０１６８】
図２２を参照して、シーケンスＳＱ２において、ゲートウェイ３４１は、店舗３０１の使用電力量をサーバ装置２００に送信する。シーケンスＳＱ４において、ゲートウェイ３４２は、店舗３０２の使用電力量をサーバ装置２００に送信する。シーケンスＳＱ６において、ゲートウェイ３４３は、店舗３０３の使用電力量をサーバ装置２００に送信する。
【０１６９】
サーバ装置２００は、各店舗３００の使用電力量を取得すると、シーケンスＳＱ８において、使用電力量の減少率の大きい店舗順に順位を算出する。詳しくは、サーバ装置２００は、店舗の単位面積当たりの減少率の大きい店舗順に順位を算出する。
【０１７０】
サーバ装置２００は、シーケンスＳＱ１０において、上記順位を含む店舗用のＷｅｂ画面と本部用のＷｅｂ画面とを生成し、タブレット端末３３１〜３３３，…からの送信要求に基づき、店舗用のＷｅｂ画面データをタブレット端末３３１〜３３３，…に送信する（シーケンスＳＱ１２，ＳＱ１４，ＳＱ１６）。この場合、サーバ装置２００は、店舗用のＷｅｂ画面データの内容（順位、コメント等の各種の表示用データ）は、タブレット端末３３０毎に異なる内容とする。
【０１７１】
シーケンスＳＱ１８において、サーバ装置２００は、ＰＣ１００からの送信要求に基づき、本部用のＷｅｂ画面データをＰＣ１００に送信する。
【０１７２】
ゲートウェイ３４１は、店舗３０１の使用電力量をサーバ装置２００に送信してから予め定められた時間（典型的には１５分）が経過すると、シーケンスＳＱ２０において、店舗３０１の使用電力量をサーバ装置２００に送信する。シーケンスＳＱ２２において、ゲートウェイ３４２は、店舗３０２の使用電力量をサーバ装置２００に送信する。シーケンスＳＱ２４において、ゲートウェイ３４３は、店舗３０３の使用電力量をサーバ装置２００に送信する。
【０１７３】
図２３は、サーバ装置２００における処理の流れを説明するためのフロー図である。詳しくは、同図は、タブレット端末３３０に対してＷｅｂ画面データを送信する局面に着目した図である。
【０１７４】
図２３を参照して、サーバ装置２００は、ステップＳ２において、使用電力量を各店舗３００から取得する。サーバ装置２００は、ステップＳ４において、各店舗３００の順位（使用電力量の減少率の大きい店舗順の順位）を算出する。
【０１７５】
サーバ装置２００は、ステップＳ６において、算出された順位を含む店舗用のＷｅｂ画面と本部用のＷｅｂ画面とを生成する。サーバ装置２００は、ステップＳ８において、タブレット端末３３０から画面データの送信要求を受け付けたか否かを判断する。
【０１７６】
サーバ装置２００は、送信要求を受け付けたと判断された場合（ステップＳ８においてＹＥＳ）、ステップＳ１０において、店舗用のＷｅｂ画面データを、送信要求の送信元のタブレット端末３３０に送信する。サーバ装置２００は、送信要求を受け付けていないと判断された場合（ステップＳ８においてＮＯ）、ステップＳ１４において、所定の時間（典型的には１５分）が経過したか否かを判断する。
【０１７７】
サーバ装置２００は、所定の時間が経過したと判断された場合（ステップＳ１４においてＹＥＳ）、処理をステップＳ２に進める。サーバ装置２００は、所定の時間が経過していないと判断された場合（ステップＳ１４においてＮＯ）、処理をステップＳ８に戻す。
【０１７８】
サーバ装置２００は、ステップＳ１２において、所定の時間（典型的には１５分）が経過したか否かを判断する。サーバ装置２００は、所定の時間が経過したと判断された場合（ステップＳ１２においてＹＥＳ）、処理をステップＳ２に進める。サーバ装置２００は、所定の時間が経過していないと判断された場合（ステップＳ１２においてＮＯ）、処理をステップＳ８に戻す。
【０１７９】
なお、たとえばステップＳ１０の後に、タブレット端末３３０の画面を切り換えるためのユーザ操作をタブレット端末３３０が受け付けた場合、タブレット端末３３０は、サーバ装置２００から当該ユーザ操作に応じた画面データを受信し、当該画面データに基づく更新後の画面を表示する。
【０１８０】
＜Ｇ．ハードウェア構成＞
（１）サーバ装置２００
図２４は、サーバ装置２００のハードウェア構成の典型例を表した図である。図２４を参照して、サーバ装置２００は、主たる構成要素として、プログラムを実行するプロセッサ２６１と、データを不揮発的に格納するＲＯＭ２６２と、プロセッサ２６１によるプログラムの実行により生成されたデータ、又は入力装置を介して入力されたデータを揮発的に格納するＲＡＭ２６３と、データを不揮発的に格納するＨＤＤ２６４と、通信ＩＦ（Interface）２６５と、操作キー２６６と、電源回路２６７と、ディスプレイ２６８とを含む。各構成要素は、相互にデータバスによって接続されている。なお、通信ＩＦ２６５は、他の機器と間における通信を行なためのインターフェイスである。
【０１８１】
サーバ装置２００における処理は、各ハードウェアおよびプロセッサ２６１により実行されるソフトウェアによって実現される。このようなソフトウェアは、ＨＤＤ２６４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ２６５等を介してダウンロードされた後、ＨＤＤ２６４に一旦格納される。そのソフトウェアは、プロセッサ２６１によってＨＤＤ２６４から読み出され、ＲＡＭ２６３に実行可能なプログラムの形式で格納される。プロセッサ２６１は、そのプログラムを実行する。
【０１８２】
同図に示されるサーバ装置２００を構成する各構成要素は、一般的なものである。したがって、本発明の本質的な部分は、ＲＡＭ２６３、ＨＤＤ２６４、記憶媒体に格納されたソフトウェア、あるいはネットワークを介してダウンロード可能なソフトウェアであるともいえる。なお、サーバ装置２００の各ハードウェアの動作は周知であるので、詳細な説明は繰り返さない。
【０１８３】
なお、図２１に示した制御部２１０は、典型的には、プロセッサ２６１がＨＤＤ２６４等に格納されたプログラムを実行することにより、実現される。
【０１８４】
また、ＰＣ１００のハードウェア構成もサーバ装置２００と同じであるため、ＰＣ１００のハードウェア構成についての説明は行わない。
【０１８５】
（２）タブレット端末３３０
図２５は、タブレット端末３３０のハードウェア構成の典型例を表した図である。図２５を参照して、タブレット端末３３０は、主たる構成要素として、プログラムを実行するプロセッサ１３５１と、データを不揮発的に格納するＲＯＭ１３５２と、プロセッサ１３５１によるプログラムの実行により生成されたデータ、又は入力装置を介して入力されたデータを揮発的に格納するＲＡＭ１３５３と、データを不揮発的に格納するフラッシュメモリ１３５４と、通信ＩＦ１３５５と、電源回路１３５６と、タッチスクリーン１３５７と、操作キー１３５８と、アンテナ１３５９とを含む。構成要素１３５１〜１３５８は、相互にデータバスによって接続されている。
【０１８６】
タッチスクリーン１３５７は、ディスプレイ３５７１と、タッチパネル３５７２により構成される。アンテナ１３５９は、通信ＩＦ１３５５用のアンテナである。通信ＩＦ１３５５は、たとえば、サーバ装置２００に対するデータの送信処理およびサーバ装置２００から送信されたデータの受信処理を行なう。タッチスクリーン１３５７は、各種のデータを表示し、かつ操作入力を受け付けるためのデバイスである。
【０１８７】
タブレット端末３３０における処理は、各ハードウェアおよびプロセッサ１３５１により実行されるソフトウェアによって実現される。このようなソフトウェアは、フラッシュメモリ１３５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ１３５５等を介してダウンロードされた後、フラッシュメモリ１３５４に一旦格納される。そのソフトウェアは、プロセッサ１３５１によってフラッシュメモリ１３５４から読み出され、ＲＡＭ１３５３に実行可能なプログラムの形式で格納される。プロセッサ１３５１は、そのプログラムを実行する。
【０１８８】
同図に示されるタブレット端末３３０を構成する各構成要素は、一般的なものである。したがって、本発明の本質的な部分は、ＲＡＭ１３５３、フラッシュメモリ１３５４、記憶媒体に格納されたソフトウェア、あるいはネットワークを介してダウンロード可能なソフトウェアであるともいえる。なお、タブレット端末３３０の各ハードウェアの動作は周知であるので、詳細な説明は繰り返さない。
【０１８９】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１９０】
１  システム、１００  ＰＣ、２００  サーバ装置、２１０  制御部、２１１  取得部、２１２  順位算出部、２１３  予測部、２１４  コメント作成部、２１５  通知部、２１６  条件設定部、２１７  表示制御部、２２０  記憶部、２３０  通信インターフェイス部、２４０  表示部、２５０  操作部、３００，３０１，３０２，３０３  店舗、３１１，３１２，３１３，３２１  無線ルータ、３３１，３３２，３３３  タブレット端末、３４１，３４２，３４３，３６１  ゲートウェイ、３５１，３５２，３５３  スマートメータ、３７１，３７２  機器、５００，５２５，５３１，５４１，６１０，７００  画面、５２１  キャラクタ画像、６１１，６１２  入力欄、６１３，７４２，７４３，５４１２，５４１３，５４１４  オブジェクト画像、７１０，７２０，７３０，７４０，７５０  領域、７２１，７２２，７２３，７２４，７２５，７２６  プルダウンリスト、７２７  総括表、７３２  プロット、７４１  リスト、１３５７  タッチスクリーン、３５７２  タッチパネル、５３１２，５４１５，５４１７  グラフ、Ｄ４  データベース。
【図１】
2019053401.tif 000003
【図２】
2019053401.tif 000004
【図３】
2019053401.tif 000005
【図４】
2019053401.tif 000006
【図５】
2019053401.tif 000007
【図６】
2019053401.tif 000008
【図７】
2019053401.tif 000009
【図８】
2019053401.tif 000010
【図９】
2019053401.tif 000011
【図１０】
2019053401.tif 000012
【図１１】
2019053401.tif 000013
【図１２】
2019053401.tif 000014
【図１３】
2019053401.tif 000015
【図１４】
2019053401.tif 000016
【図１５】
2019053401.tif 000017
【図１６】
2019053401.tif 000018
【図１７】
2019053401.tif 000019
【図１８】
2019053401.tif 000020
【図１９】
2019053401.tif 000021
【図２０】
2019053401.tif 000022
【図２１】
2019053401.tif 000023
【図２２】
2019053401.tif 000024
【図２３】
2019053401.tif 000025
【図２４】
2019053401.tif 000026
【図２５】
2019053401.tif 000027